【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
第１折り目及び第２折り目に沿って、第１層及び第２層に平坦化された螺旋巻きで形成された無端ループの形態の多軸層基礎布を有する多軸布であって、
前記基礎布は、第１の布ストリップを有し、
前記の第１の布ストリップは、ひとつのペアの隣り合うＣＤヤーン間の距離が、他のペアの隣り合うＣＤヤーンの距離と異なるように、所定の様式で機械方向（ＭＤ）のヤーン及び機械を横切る方向（ＣＤ）ヤーンから織成されることを特徴とする多軸布。
【請求項２】
機械上で継ぎ合せ可能であることを特徴とする請求項１に記載の多軸布。
【請求項３】
前記第１層及び第２層の一方又は両方のＣＤヤーンの間の距離は、異なることを特徴とする請求項１に記載の多軸布。
【請求項４】
抄紙機用のプレス布であり、
ニードリングされた繊維バットの１つ以上の層を含むことを特徴とする請求項１に記載の多軸布。
【請求項５】
前記の第１の布ストリップは、ひとつのペアの隣り合うＭＤヤーン間の距離が、他のペアの隣り合うＭＤヤーン間の距離と異なるように、所定の様式でＭＤヤーンから織成され、前記ＭＤヤーンは、リード表面の不均一な空間、多重な寸法のＭＤストランド及びヤーンの不均一なリード表面の挿入の少なくともひとつにより、異なる距離を作製するように、織り交ぜられることを特徴とする請求項１に記載の多軸布。
【請求項６】
前記ＣＤヤーンは、長さの因子の織成のプログラム化されたサーボ制御、不均一なグループ化を形成する選択的なパターン、又はランダムに若しくはランダムではなく挿入された解決するヤーンのいずれかにより、異なる距離を作製するように、織り交ぜられることを特徴とする請求項１に記載の多軸布。
【請求項７】
抄紙機に使用する多軸布を形成する方法であって、当該方法は：
第１の布ストリップから基礎布を形成するステップであって、このストリップは、ひとつのペアの隣り合うＣＤヤーン間の距離が、他のペアの隣り合うＣＤヤーンの距離と異なるように、所定の様式で機械方向（ＭＤ）のヤーン及び機械を横切る方向（ＣＤ）ヤーンから織成される、ステップと；
前記基礎布を螺旋巻きで形成された無端ループに形成するステップと；
前記基礎布を、第１折り目及び第２折り目に沿って第１層及び第２層に平坦化するステップと；
前記第１層及び第２層を、前記第１折り目及び第２折り目に沿って継ぎ合わせるステップと；
を有することを特徴とする方法。
【請求項８】
前記の第１の布ストリップは、ひとつのペアの隣り合うＭＤヤーン間の距離が、他のペアの隣り合うＭＤヤーン間の距離と異なるように、所定の様式でＭＤヤーンから織成され、前記の隣り合うＭＤヤーン間の所定の距離は、リード表面の不均一な空間、多重な寸法のＭＤストランド及びヤーンの不均一なリード表面の挿入の少なくともひとつにより、異なる距離を作製するように、織り交ぜられることを特徴とする請求項７に記載の方法。
【請求項９】
異なる距離を作製するように織り交ぜられる前記の隣り合うＣＤヤーン間の所定の距離は、長さの因子の織成のプログラム化されたサーボ制御、不均一なグループ化を形成する選択的なパターン、又はランダムに挿入された解決するヤーンのいずれかにより、形成されることを特徴とする請求項７に記載の方法。
【請求項１０】
抄紙機に使用する多層多軸布であって、
ひとつのペアの隣り合うＣＤヤーン間の距離が、他のペアの隣り合うＣＤヤーンの距離と異なるように、複数の織り交ぜられたＭＤヤーン及びＣＤヤーンと、隣り合うＣＤヤーン間の所定の距離とを有する第１織成層と；
ひとつのペアの隣り合うＣＤヤーン間の距離が、他のペアの隣り合うＣＤヤーンの距離と異なるように、複数の織り交ぜられたＭＤヤーン及びＣＤヤーンと、隣り合うＣＤヤーン間の所定の距離とを有する第２織成層と；
を有することを特徴とする多層多軸布。
【請求項１１】
前記第１織成層及び第２織成層は、無端ループを形成することを特徴とする請求項１０に記載の多層多軸布。
【請求項１２】
前記第１層及び第２層の一方又は両方のＣＤヤーンの間の距離は、異なることを特徴とする請求項１１に記載の多層多軸布。
【請求項１３】
機械上で継ぎ合せ可能であることを特徴とする請求項１０に記載の多層多軸布。
【請求項１４】
抄紙機用のプレス布であり、
ニードリングされた繊維バットの１つ以上の層を含むことを特徴とする請求項１０に記載の多層多軸布。
【請求項１５】
前記の第１の布ストリップは、ひとつのペアの隣り合うＭＤヤーン間の距離が、他のペアの隣り合うＭＤヤーン間の距離と異なるように、所定の様式でＭＤヤーンから織成され、前記第１織成層及び第２織成層の少なくとも一方における隣り合うＭＤヤーン間の所定の距離は、リード表面の不均一な空間、多重な寸法のＭＤストランド及びヤーンの不均一なリード表面の挿入の少なくともひとつにより、異なる距離を作製するように、織り交ぜられることを特徴とする請求項１０に記載の多層多軸布。
【請求項１６】
前記第１織成層及び第２織成層の少なくとも一方における隣り合うＣＤヤーン間の所定の距離は、長さの因子の織成のプログラム化されたサーボ制御、不均一なグループ化を形成する選択的なパターン、又はランダムに挿入された解決するヤーンのいずれかにより異なる距離を作製するように、織り交ぜられることを特徴とする請求項１０に記載の多層多軸布。
【請求項１７】
抄紙機に使用する多軸布を形成する方法であって：
複数の織り交ぜられた機械方向（ＭＤ）のヤーン及び機械を横切る方向（ＣＤ）のヤーンを有する第１織成層であって、ひとつのペアの隣り合うＣＤヤーン間の距離が、他のペアの隣り合うＣＤヤーンの距離と異なるように、隣り合うＣＤヤーン間の所定の距離を有する第１織成層を形成するステップと；
複数の織り交ぜられたＭＤヤーン及びＣＤヤーンを有する第２織成層であって、ひとつのペアの隣り合うＣＤヤーン間の距離が、他のペアの隣り合うＣＤヤーンの距離と異なるように、隣り合うＣＤヤーン間の所定の距離を有する第２織成層を形成するステップと；
前記第１織成層及び第２織成層をニードリングにより共に接合するステップと；
を有することを特徴とする方法。
【請求項１８】
前記の第１の布ストリップは、ひとつのペアの隣り合うＭＤヤーン間の距離が、他のペアの隣り合うＭＤヤーン間の距離と異なるように、所定の様式でＭＤヤーンから織成され、前記第１織成層及び第２織成層の少なくとも一方における隣り合うＭＤヤーン間の所定の距離は、リード表面の不均一な空間、多重な寸法のＭＤストランド及びヤーンの不均一なリード表面の挿入の少なくともひとつにより、異なる距離を作製するように、織り交ぜられることを特徴とする請求項１７に記載の方法。
【請求項１９】
前記第１織成層及び第２織成層の少なくとも一方において異なる距離を作製するように織り交ぜられた隣り合うＣＤヤーン間の所定の距離は、長さの因子の織成のプログラム化されたサーボ制御、不均一なグループ化を形成する選択的なパターン、又はランダムに挿入された解決するヤーンのいずれかにより形成されることを特徴とする請求項１７に記載の方法。
【請求項２０】
複数の織り交ぜられた機械方向（ＭＤ）のヤーン及び機械を横切る方向（ＣＤ）のヤーンを有する上部層と；
複数の織り交ぜられたＭＤヤーン及びＣＤヤーンを有する下部層と；
前記上部層と前記下部層との間に配置された不織層と；
を有することを特徴とする抄紙機に使用する多軸布。
【請求項２１】
前記不織層は、編まれた成形メッシュ、ＭＤ及び／又はＣＤアレイ、不織繊維材料の全幅又はストリップを有することを特徴とする請求項２０に記載の多軸布。
【請求項２２】
機械上で継ぎ合せ可能であることを特徴とする請求項２０に記載の多軸布。
【請求項２３】
抄紙機用のプレス布であり、
ニードリングされた繊維バットの１つ以上の層を含むことを特徴とする請求項２０に記載の多軸布。
【請求項２４】
上部層を形成するように、複数の機械方向（ＭＤ）のヤーン及び機械を横切る方向（ＣＤ）のヤーンを織り交ぜるステップと；
下部層を形成するように、複数のＭＤヤーン及びＣＤヤーンを織り交ぜるステップと；
前記上部層と前記下部層との間に不織層を配置するステップと；
を有することを特徴とする抄紙機に使用する多軸布を形成する方法。
【請求項２５】
前記上部層及び下部層は、無端ループを形成することを特徴とする請求項２４に記載の方法。
【請求項２６】
前記上部層及び下部層を、ニードリングにより共に接合するステップをさらに有することを特徴とする請求項２５に記載の方法。
【請求項２７】
端部を共に継ぎ合わせるステップをさらに有することを特徴とする請求項２６に記載の方法。
【請求項２８】
複数の織り交ぜられた機械方向（ＭＤ）のヤーン及び機械を横切る方向（ＣＤ）のヤーンを有する上部層であって、内側及び外側を有する上部層と；
複数の織り交ぜられたＭＤヤーン及びＣＤヤーンを有する下部層であって、内側及び外側を有する下部層と；
を有する抄紙機に使用する多軸布であって、
前記上部層の前記内側及び前記下部層の前記内側は、所定の技術により、平坦化されることを特徴とする多軸布。
【請求項２９】
前記の所定の技術は、カレンダリングであることを特徴とする請求項２８に記載の多軸布。
【請求項３０】
前記上部層及び下部層は、無端ループを形成することを特徴とする請求項２８に記載の多軸布。
【請求項３１】
機械上で継ぎ合せ可能であることを特徴とする請求項２８に記載の多軸布。
【請求項３２】
抄紙機用のプレス布であり、
ニードリングされた繊維バットの１つ以上の層を含むことを特徴とする請求項２８に記載の多軸布。
【請求項３３】
複数の織り交ぜられた機械方向（ＭＤ）のヤーン及び機械を横切る方向（ＣＤ）のヤーンを有する上部層であって、内側及び外側を有する上部層を形成するステップと；
複数の織り交ぜられたＭＤヤーン及びＣＤヤーンを有する下部層であって、内側及び外側を有する下部層を形成するステップと；
前記上部層の前記内側及び前記下部層の前記内側を、所定の技術により平坦化するステップと；
を有することを特徴とする抄紙機に使用する多軸布を形成する方法。
【請求項３４】
前記の所定の技術は、カレンダリングであることを特徴とする請求項３３に記載の方法。
【請求項３５】
前記上部層及び下部層は、無端ループを形成し、且つニードリングにより共に接合されることを特徴とする請求項３３に記載の方法。
【請求項３６】
抄紙機に使用する多軸布であって、
当該布は、少なくとも２つの層を有し、
前記層のそれぞれは：
複数の機械方向（ＭＤ）のヤーンと；
第１の複数の機械を横切る方向（ＣＤ）のヤーンと；
第２の複数のＣＤヤーンと；
を含み、
前記の複数のＭＤヤーン及び前記の第１の複数のＣＤヤーンは、第１のシェドパターンを形成し、
前記の複数のＭＤヤーン及び前記の第２の複数のＣＤヤーンは、第２のシェドパターンを形成し；
前記の第１のシェドパターン及び前記の第２のシェドパターンは、異なり、
前記の第１のシェドパターンの少なくともひとつのＣＤヤーンは、前記の第２のシェドパターンのＣＤヤーンと織り合うことを特徴とする多軸布。
【請求項３７】
前記の第１のシェドパターンは、２シェドのパターンであり、
前記の第２のシェドパターンは、３シェドのパターンであることを特徴とする請求項３６に記載の多軸布。
【請求項３８】
機械上で継ぎ合せ可能であることを特徴とする請求項３６に記載の多軸布。
【請求項３９】
抄紙機用のプレス布であり、
ニードリングされた繊維バットの１つ以上の層を含むことを特徴とする請求項３６に記載の多軸布。
【請求項４０】
抄紙機に使用する多軸布を製造する方法であって、
当該方法は、複数の機械方向（ＭＤ）のヤーンと、第１の複数の機械を横切る方向（ＣＤ）のヤーンと、第２の複数のＣＤヤーンとからなる、少なくとも２つの層を形成するステップを有し、
前記の複数のＭＤヤーン及び前記の第１の複数のＣＤヤーンは、第１のシェドパターンを形成し、
前記の複数のＭＤヤーン及び前記の第２の複数のＣＤヤーンは、第２のシェドパターンを形成し；
前記の第１のシェドパターン及び前記の第２のシェドパターンは、異なり、
前記の第１のシェドパターンの少なくともひとつのＣＤヤーンは、前記の第２のシェドパターンのＣＤヤーンと織り合うことを特徴とする方法。
【請求項４１】
前記の第１のシェドパターンは、２シェドのパターンであり、
前記の第２のシェドパターンは、３シェドのパターンであることを特徴とする請求項４０に記載の方法。
【請求項４２】
第１及び第２の継目領域に除去された機械を横切る方向のヤーンを有する多軸基礎布を形成するステップと；
積層体を、ニードリングにより前記基礎布の外側又は内側の部分に結合するステップと；
必要に応じて、ニードリングされていない積層体及び前記継目領域における積層体を除去するステップと；
前記基礎布を前記継ぎ目領域上に折り曲げるステップと；
布を無端とするように、前記継目領域を接合するステップと；
を有することを特徴とする抄紙機に使用する多軸布を形成する方法。
【請求項４３】
前記積層体は、前記基礎布の長さの約１／２にのみ結合されることを特徴とする請求項４２に記載の方法。
【請求項４４】
前記積層体は、ニット、成形メッシュ、ＭＤ又はＣＤヤーンアレイ、不織繊維材料又はバットの全幅又は螺旋に巻かれたストリップからなる群から選択されることを特徴とする請求項４２に記載の方法。
【請求項４５】
抄紙機に使用する多軸布であって、
基礎布は複数の機械方向及び機械を横切る方向のヤーンから織成され、機械を横切る方向のヤーンが基礎布の第１及び第２の継目領域で除去され；
積層体を、ニードリングにより基礎布の外側又は内側の部分に結合させ、少なくともニードル部分又はニードリングされていない積層体部分は前記継目領域から除去し；
前記基礎布を前記継ぎ目領域上に折り曲げ、布を無端とするように、前記継目領域を接合することを特徴とする多軸布。
【請求項４６】
前記積層体は、前記基礎布の長さの約１／２にのみ結合されることを特徴とする請求項４５に記載の多軸布。
【請求項４７】
前記積層体は、ニット、成形メッシュ、ＭＤ又はＣＤヤーンアレイ、不織繊維材料又はバットの全幅又は螺旋に巻かれたストリップからなる群から選択されることを特徴とする請求項４５に記載の多軸布。